(57)【特許請求の範囲】
【請求項１】
高層ビル用避難設備であって、建物の外壁に直線状の避難レールを垂直に取り付け、前記直線状の避難レール上に安全連結器を緩やかにスライドできるように連結し、緊急避難時に、避難者が安全ベルトを介して前記安全連結器に掛け止められると共に、前記直線状の避難レールに対して前記安全連結器をスライドさせつつ、地上へ降下脱出することができるように構成した高層ビル用避難設備において、前記安全連結器は、二つの上部本体と、二つの下部本体と、連結体と、安全ベルトを掛け止めるための安全帯掛止用環体と、上部固定板と、下部固定板と、固定アームと、可動アームとを少なくとも備え、前記固定アームと前記可動アームの内側には滑溝がそれぞれ形成され、さらに前記可動アームは枢軸によって回動可能であり、一方、前記避難レールをＴ字型断面で形成すると共に、前記Ｔ字型断面の避難レールを前記安全連結器の滑溝で挟持せしめるように構成したことを特徴とする高層ビル用避難設備。
【請求項２】
前記避難レールの両側には、複数の踏み段が所定間隔をおいて左右に千鳥状にヒンジを介して取り付けられ、前記踏み段の外端に滑り止めストッパーが設けられ、前記踏み段の内端に別のストッパーが設けられ、前記避難レールと前記建物との間には、複数の結合座が取り付けられ、前記結合座は、傾斜状滑溝と、前記傾斜状滑溝に対してスライド可能なスライド板とを備え、前記傾斜状滑溝に貫通した貫通ピンによって、前記スライド板と前記避難レールとを連結して構成したことを特徴とする請求項１に記載の高層ビル用避難設備。
【請求項３】
前記避難レールの両側には、前記踏み段の滑り止めストッパーと連結された連結ロープが前記避難レールと平行して立設されると共に、前記連結ロープの上端に開閉切換ユニットを連結して構成したことを特徴とする請求項２に記載の高層ビル用避難設備。
【発明の詳細な説明】
【０００１】
【発明の属する技術分野】
本発明は、建築物の避難設備に関し、特に、高層ビル（高層マンション、ホテル及びオフィスビル等）の火災時に窓、ベランダ及び屋上から地上へ避難脱出するための、高層ビル用避難設備に係るものである。
【０００２】
【従来の技術】
近年は、都市の繁栄や人口の密集に伴い、土地価格の異常な高騰（所謂、一寸土一銭金）によりマンションやホテル等の建物が益々高層化する傾向にある。このような高層ビル内で火災等が発生した場合に、従来は、各階の窓やベランダ等から避難ロープやロープ式緩降機等を用いて脱出していた。
【０００３】
【本発明が解決しようとする課題】
しかし、高層ビルの外側に避難ロープやロープ式緩降機などで人体を直接吊り下げる避難設備は、空中に吊り下げられる恐怖感が常にあり、火災発生現場においてパニックが発生することも考えられるため、子供、女性及び老人には不向きである。またロープも空中で揺れたり平衡を失ったりし易いため、物などに衝突する危険性がある。
そこで、本発明は、上記の問題点に鑑みてなされたもので、より安全且つ確実に避難を行うことができる、高層ビル用避難設備を提供することを課題とする。
【０００４】
【課題を解決するための手段】
上記の課題を解決するために、本発明に係る請求項１の発明は、高層ビル用避難設備であって、建物の外壁に直線状の避難レールを垂直に取り付け、前記直線状の避難レール上に安全連結器を緩やかにスライドできるように連結し、緊急避難時に、避難者が安全ベルトを介して前記安全連結器に掛け止められると共に、前記直線状の避難レールに対して前記安全連結器をスライドさせつつ、地上へ降下脱出することができるように構成した高層ビル用避難設備において、前記安全連結器は、二つの上部本体と、二つの下部本体と、連結体と、安全ベルトを掛け止めるための安全帯掛止用環体と、上部固定板と、下部固定板と、固定アームと、可動アームとを少なくとも備え、前記固定アームと前記可動アームの内側には滑溝がそれぞれ形成され、さらに前記可動アームは枢軸によって回動可能であり、一方、前記避難レールをＴ字型断面で形成すると共に、前記Ｔ字型断面の避難レールを前記安全連結器の滑溝で挟持せしめるように構成したことを特徴とする高層ビル用避難設備である。
【０００６】
また、本発明に係る請求項２の発明は、前記避難レールの両側には、複数の踏み段が所定間隔をおいて左右に千鳥状にヒンジを介して取り付けられ、前記踏み段の外端に滑り止めストッパーが設けられ、前記踏み段の内端に別のストッパーが設けられ、前記避難レールと前記建物との間には、複数の結合座が取り付けられ、前記結合座は、傾斜状滑溝と、前記傾斜状滑溝に対してスライド可能なスライド板とを備え、前記傾斜状滑溝に貫通した貫通ピンによって、前記スライド板と前記避難レールとを連結して構成したことを特徴とする請求項１に記載の高層ビル用避難設備である。
【０００７】
さらに、本発明に係る請求項３の発明は、前記避難レールの両側には、前記踏み段の滑り止めストッパーと連結された連結ロープが前記避難レールと平行して立設されると共に、前記連結ロープの上端に開閉切換ユニットを連結して構成したことを特徴とする請求項２に記載の高層ビル用避難設備である。
【０００８】
【作用】
本発明は、建物の外壁に垂直に立設された避難レールと、避難レールにスライド可能に連結された安全連結器とを少なくとも備えている。そして、緊急避難時は、避難者が安全ベルトを装着するとともに、前記安全連結器の安全帯掛止用環体に安全ベルトの掛止器具を掛け止めた後に、前記安全連結器を下方へスライドさせるとともに、踏み段に足をかけつつ地上へ降下することができるので、従来のロープ等の懸垂式避難設備に比べてより安全且つ確実に避難を行うことができる。
【０００９】
【発明の実施の形態】
上記の目的を達成するために、本発明に採用された技術、手段及び効果を好適な実施の形態を挙げ、図面を参照しながら以下に詳述する。
ここで、図１は本発明の全体構成の斜視図、図２は本発明の安全連結器の斜視図、図３は本発明の安全連結器の作動状態を示す説明図、図４は本発明の安全連結器の側断面図、図５は本発明の安全連結器と避難レールとの組合状況を示す説明図、図６は本発明の使用状態を示す説明図、図７は本発明の組立状態を示す説明図、図８は本発明の踏棒の作動状態を示す説明図、図９は本発明の避難レールの使用状態を示す説明図、図１０は本発明の避難レールの取付状態を示す説明図、図１１は避難時の本発明の使用状態を示す参考図である。
【００１０】
図１に示すように、建物１の外壁面には、本発明の高層ビル用避難設備２が適所に取付けられている。前記高層ビル用避難設備２は、主に直線状避難レール３と安全連結器４とを備えている。前記避難レール３は、建物１の外壁面に垂直に立設されており、前記安全連結器４は、前記避難レール３上に連結されると共に、前記避難レール３のガイドによって緩やかに上下スライドできる。また、前記避難レール３の両側には、踏み段６が配設されている。
【００１１】
図２乃至図４に示すように、前記安全連結器４は、二つの上本体４１と、二つの下本体４２と、連結体４３と、安全帯掛止用環体４４と、上部固定板４５と、下部固定板４６と、固定アーム４７と可動アーム４８とによって、主要部が構成されている。また、前記固定アーム４７の内側には、滑溝４７１、４７２が形成されており、可動アーム４８は、回動可能にするための枢軸４８９に枢着されるとともに、その内側に別の滑溝４８１、４８２が形成されている。
【００１２】
前記避難レール３は、フランジ部と腹部（符号省略）とをＴ字型断面に形成したものであり、前記フランジ部の両端を、前記安全連結器の滑溝４７１、４７２及び滑溝４８１、４８２で挟んで結合している。また、前記避難レール３のフランジ部に前記安全連結器４を容易に取付けるために、可動アーム４８は前記安全連結器４に回動可能に設置されている。前記避難レール３上に安全連結器４を連結する場合は、予め開放状態に位置された前記可動アーム４８を前記枢軸４８８を介して前記固定アーム４７の内側へ回動して係合させてから、挿入ピン４８９や弾性片等によって、可動アーム４８の外側への開きを制限しておく。これにより、前記避難レール３から、前記安全連結器４の脱落防止を図ることができる。
【００１３】
本発明の使用時は、図５に示すように、避難者がまず安全連結器４を避難レール２のフランジ部に連結するとともに、安全ベルト８１を装着して（図１１を参照）、次に前記安全ベルト８１の引掛器具８２を安全連結器４の安全帯掛止用環体４４に掛け止めた後に、前記避難レール３に対して安全連結器４を下方へスライドさせながら、緩やかに地上へ降下することができる。
【００１４】
一方、本発明の実施形態では、安全連結器４の降下速度が速くなり過ぎるのを防ぐために、前記滑溝４７１、４７２と、前記滑溝４８１、４８２の一対の側面を下向きに傾斜して形成している。そして、避難者が足を使わずに安全連結器４と連動して快速に地上へ降下するときは、人体の体重によって前記安全帯掛止用環体４４が下方へ引っ張られるとともに、図５に示すように、安全連結器４の接触点４９１、４９２が避難レール３と噛み合うようになり、両者間に摩擦抵抗力やせん断力が生ずるので、前記安全連結器４の落下や墜落が迅速に阻止される。
【００１５】
図６乃至図８に示すように、前記避難レール３の腹部の両側には、複数の踏み段６が所定間隔をおいて左右に千鳥状に取り付けられている。前記踏み段６は、ヒンジ６１によって避難レール３に回動可能に連結されており、その外端には、滑り止めストッパー６２が設けられる。これにより、前記踏み段６に足をかける際に、不測の外側への滑り出しを防止することができる。また、前記滑り止めストッパー６２には、連結ロープ７が連結され、且つ前記踏み段６の内端には、別のストッパー６３が設けられている。そして、前記連結ロープ７を上方へ引っ張ると、前記踏み段６は前記ヒンジ６１を介して上方へ回転し、且つその内側に近づくことができる。
【００１６】
図９と図１０に示すように、避難レール３と建物１との間には、複数の結合座５が所定間隔をおいて配設されている。前記各結合座５には、傾斜状の滑溝５１が開設され、前記滑溝５１に沿ってスライド可能なスライド板５３が貫通ピン５２によって、前記避難レール３と一体に連結されている。
そして、前記連結ロープ７を上方へ引っ張ると、前記踏み段６はヒンジ６１を介して上方へ回動してその内側へ寄りかかると同時に、前記避難レール３は前記滑溝５１に沿って建物１に向けて移動して不使用状態となる（図７と図１０を参照）。これにより、盗難の防止及び外観の改善を図ることができる。逆に、前記連結ロープ７を下方へ下げると、前記踏み段６は水平状態に戻り、且つ前記避難レール３は外方下向きに移動して使用状態となる（図６と図９を参照）。
【００１７】
前記連結ロープ７の上下動作は、その上端に設置された開閉切換ユニット９によって行うことができる。この開閉切換ユニット９は、例えば、少なくとも開閉扉と、前記開閉扉の開閉を制御する電磁弁とを備えている。前記電磁弁を建物の各室内に設置されたスイッチにより制御する。
【００１８】
一方、緊急避難時に、図１１に示すように、安全ベルト８１を装着した避難者８が、避難レール３に連結された安全連結器４の安全帯掛止用環体４４に、安全ベルトの引掛器具８２を掛け止める。その後、建物１の外壁に沿って、踏み段６に足をかけながら、安全連結器４をスライドさせる。そして、より安全に地上へ降下脱出することができる。
【００１９】
なお、本発明は、上記マンションに使用されるばかりでなく、その他ホテル、娯楽性ビル、オフィスビルなどの高層ビル等にも使用することができ、非常に実用性に富み、避難効果が確実に得られ、人命の安全を確保できる。
【００２０】
【発明の効果】
以上説明したように、本発明の高層ビル用避難設備は、建物の外壁に避難レールを垂直に立設するとともに、避難レールに安全連結器をスライド可能に連結し、緊急避難時に、避難者が安全ベルトを介して安全連結器をスライドさせるとともに、踏み段を降りつつ地上へ降下することができるように構成したので、より安全且つ確実に避難を行うことができ、人命の安全が確保できる。
【００２１】
なお、本発明は、産業上の利用性が明らかである。また、本発明の構成及び実施形態は、出願前に刊行物に掲載されたことがなく、且つ公然実施に該当するものではなく、新規性を有すると共に、上記のように進歩性が十分期待できるものである。
【図面の簡単な説明】
【図１】本発明の全体構成の斜視図である。
【図２】本発明の安全連結器の斜視図である。
【図３】本発明の安全連結器の作動状態を示す説明図である。
【図４】本発明の安全連結器の側断面図である。
【図５】本発明の安全連結器と避難レールとの組合状況を示す説明図である。
【図６】本発明の使用状態を示す説明図である。
【図７】本発明の組立状態を示す説明図である。
【図８】本発明の踏み段の作動状態を示す説明図である。
【図９】本発明の避難レールの使用状態を示す説明図である。
【図１０】本発明の避難レールの取付状態を示す説明図である。
【図１１】避難時の本発明の使用状態を示す参考図である。
【符号の説明】
１        建物
２        高層ビル用避難設備
３        避難レール
４        安全連結器
４１      上部本体
４２      下部本体
４３      連結体
４４      安全帯掛止用環体
４５      上部固定板
４６      下部固定板
４７      固定アーム
４７１    滑溝
４７２    滑溝
４８      可動アーム
４８１    滑溝
４８２    滑溝
４８８    枢軸
４８９    挿入ピン
４９１    接触点
４９２    接触点
５        結合座
５１      滑溝
５２      貫通ピン
５３      スライド板
６        踏み段
６１      ヒンジ
６２      滑止めストッパー
６３      ストッパー
７        連結ロープ
８        避難者
８１      安全ベルト
８２      引掛器具
９        開閉切換ユニット
【図１】
0003650080.tif 000002
【図２】
0003650080.tif 000003
【図３】
0003650080.tif 000004
【図４】
0003650080.tif 000005
【図５】
0003650080.tif 000006
【図６】
0003650080.tif 000007
【図７】
0003650080.tif 000008
【図８】
0003650080.tif 000009
【図９】
0003650080.tif 000010
【図１０】
0003650080.tif 000011
【図１１】
0003650080.tif 000012